(57)【要約】【課題】一対の環状部材の互いの位置がずれることを抑制することにより、音響や振動、温度の増加を抑制する。【解決手段】転がり軸受は、内輪１と、外輪２と、複数の玉３と、第１および第２の環状部材４ａ，４ｂを有し、かつ複数の玉３のそれぞれを保持する保持器４と、第１および第２の環状部材４ａ，４ｂを互いに連結するリベット６とを備えている。第１の環状部材４ａのポケット面ＰＳと第２の環状部材４ｂのポケット面ＰＳとの間に玉３を保持するように凹部ＣＰに凸部ＰＰが嵌合した状態で第１および第２の貫通孔Ｈ１，Ｈ２に挿入されたリベット６により第１の環状部材４ａの結合板部ＰＣと第２の環状部材４ｂの結合板部ＰＣとが連結されている。【選択図】図２
2016180414.tif 000002
【特許請求の範囲】
【請求項１】
内輪と、
前記内輪の外周側に配置された外輪と、
前記内輪と前記外輪との間に配置された複数の転動体と、
第１および第２の環状部材を有し、かつ前記複数の転動体のそれぞれを保持する保持器と、
前記第１および第２の環状部材を互いに連結するリベットとを備え、
前記第１および第２の環状部材の各々は、半球状のポケット面を有する弧状のポケット壁部と、前記ポケット壁部の端部から前記第１および第２の環状部材の各々の周方向に延びる結合板部とが周方向に交互に設けられた形状を有し、
前記第１の環状部材の前記結合板部は、前記第１および第２の環状部材の各々の径方向に直交する前記第１の環状部材の前記結合板部の厚み方向に凹む凹部と、前記第１の環状部材の前記結合板部の厚み方向に貫通する第１の貫通孔とを有し、
前記第２の環状部材の前記結合板部は、前記径方向に直交する前記第２の環状部材の前記結合板部の厚み方向に突出しかつ前記凹部に嵌合する凸部と、前記第２の環状部材の前記結合板部の厚み方向に貫通しかつ前記凹部に前記凸部が嵌合した状態で前記第１の貫通孔に連通する第２の貫通孔とを有し、
前記第１の環状部材の前記ポケット面と前記第２の環状部材の前記ポケット面との間に前記転動体を保持するように前記凹部に前記凸部が嵌合した状態で前記第１および第２の貫通孔に挿入された前記リベットにより前記第１の環状部材の前記結合板部と前記第２の環状部材の前記結合板部とが連結されている、転がり軸受。
【請求項２】
前記凹部は、前記第１の環状部材の前記結合板部の厚み方向において前記第２の環状部材側に前記凹部の開口面積が大きくなるように傾斜する第１の傾斜面を有し、
前記凸部は、前記第２の環状部材の前記結合板部の厚み方向において前記第１の環状部材側に前記凸部の断面積が小さくなるように傾斜し、かつ前記第１の傾斜面に沿う第２の傾斜面を有している、請求項１に記載の転がり軸受。
【請求項３】
前記凸部は、円錐形状を有しており、
前記凹部は、前記円錐形状に嵌合する円錐状の凹みを有している、請求項１または２に記載の転がり軸受。
【請求項４】
前記凹部は、前記周方向に直交する方向から見て、第１の短手部と、前記第１の短手部よりも長い寸法を有する第１の長手部とを含み、
前記凸部は、前記周方向に直交する方向から見て、第２の短手部と、前記第２の短手部よりも長い寸法を有する第２の長手部とを含む、請求項１または２に記載の転がり軸受。
【請求項５】
前記第１および第２の長手部は、前記周方向に延在している、請求項４に記載の転がり軸受。
【請求項６】
前記第１および第２の長手部は、前記径方向に延在している、請求項４に記載の転がり軸受。
【請求項７】
前記凹部は、第１および第２の凹部分を含み、
前記凸部は、前記第１および第２の凹部分にそれぞれ嵌合する第１および第２の凸部分を含む、請求項１〜６のいずれか１項に記載の転がり軸受。
【請求項８】
前記第１の凹部分および前記第１の凸部分と、前記第２の凹部分および前記第２の凸部分とは、前記径方向に前記第１および第２の貫通孔を挟むように配置されている、請求項７に記載の転がり軸受。
【請求項９】
前記第１の凹部分および前記第１の凸部分と、前記第２の凹部分および前記第２の凸部分とは、前記周方向に前記第１および第２の貫通孔を挟むように配置されている、請求項７に記載の転がり軸受。
【請求項１０】
前記結合板部は、前記周方向に配置された複数の結合板部分を含み、
前記凹部および前記凸部は、前記複数の結合板部分の少なくともいずれかに設けられている、請求項１〜９のいずれか１項に記載の転がり軸受。
【請求項１１】
前記凹部および前記凸部は、前記複数の結合板部分の２つ以上に設けられている、請求項１０に記載の転がり軸受。
【請求項１２】
前記凹部および前記凸部は、前記複数の結合板部分の全てに設けられている、請求項１０に記載の転がり軸受。
【請求項１３】
前記第１の貫通孔は、前記第２の環状部材側に前記第１の貫通孔の直径が小さくなる第１の面取り部を有している、請求項１〜１２のいずれか１項に記載の転がり軸受。
【請求項１４】
前記第１の貫通孔は、複数の第１の貫通孔部を含み、
前記複数の第１の貫通孔部の少なくとも２つは、前記第１の面取り部を有している、請求項１３に記載の転がり軸受。
【請求項１５】
前記複数の第１の貫通孔部の全ては、前記第１の面取り部を有している、請求項１３または１４に記載の転がり軸受。
【請求項１６】
前記第２の貫通孔は、前記第１の環状部材側に前記第２の貫通孔の直径が小さくなる第２の面取り部を有している、請求項１３〜１５のいずれか１項に記載の転がり軸受。
【請求項１７】
前記第２の貫通孔は、複数の第２の貫通孔部を含み、
前記複数の第２の貫通孔部の少なくとも２つは、前記第２の面取り部を有している、請求項１６に記載の転がり軸受。
【請求項１８】
前記複数の第２の貫通孔部の全ては、前記第２の面取り部を有している、請求項１６または１７に記載の転がり軸受。
【請求項１９】
前記リベットは、前記第２の面取り部に沿うテーパ部を有している、請求項１６〜１８のいずれか１項に記載の転がり軸受。
【発明の詳細な説明】
【技術分野】
【０００１】
本発明は、転がり軸受に関し、特に、保持器を備えた転がり軸受に関するものである。
【背景技術】
【０００２】
転がり軸受には、一対の環状部材が転動体を挟み込むように組み立てられることにより形成されたポケットを有する保持器を備えたものある。この保持器では、一対の環状部材が転動体を挟み込むように組み立てられるときに、一対の環状部材の互いの位置がずれることにより、ポケットにずれが生じることがある。
【０００３】
たとえば、特開２０１３−１４２４５０号公報（特許文献１）には、一対の円環状の保持部材（環状部材）の結合部同士が固定された保持器が記載されている。この公報に記載された保持器では、一方の環状部材の結合部に形成された貫通孔に他方の環状部材の結合部に形成された結合突起部が挿入される。そして、結合突起部の先端側が拡径されて、結合突起部が貫通孔に加締められる。
【先行技術文献】
【特許文献】
【０００４】
【特許文献１】特開２０１３−１４２４５０号公報
【発明の概要】
【発明が解決しようとする課題】
【０００５】
上記の公報に記載された保持器では、結合突起部の先端側が拡径されて結合突起部が貫通孔に加締められるように、結合突起部と貫通孔との間に隙間が必要である。この隙間のため、結合突起部が貫通孔に加締められるときに、一方の環状部材および他方の環状部材の互いの位置がずれることがある。この場合には、一対の環状部材の互いの位置がずれることにより、保持器の転動体を保持するポケットにずれが生じる。これにより、転動体と保持器との接触が不均一になるため、音響や振動、温度が増加しやすくなる。そのため、転がり軸受の機能としての寿命が低下するという問題がある。
【０００６】
本発明は上記課題に鑑みてなされたものであり、その目的は、一対の環状部材の互いの位置がずれることを抑制することにより、音響や振動、温度の増加を抑制することができる転がり軸受を提供することである。
【課題を解決するための手段】
【０００７】
本発明の転がり軸受は、内輪と、内輪の外周側に配置された外輪と、内輪と外輪との間に配置された複数の転動体と、第１および第２の環状部材を有し、かつ複数の転動体のそれぞれを保持する保持器と、第１および第２の環状部材を互いに連結するリベットとを備えている。第１および第２の環状部材の各々は、半球状のポケット面を有する弧状のポケット壁部と、ポケット壁部の端部から第１および第２の環状部材の各々の周方向に延びる結合板部とが周方向に交互に設けられた形状を有している。第１の環状部材の結合板部は、第１および第２の環状部材の各々の径方向に直交する第１の環状部材の結合板部の厚み方向に凹む凹部と、第１の環状部材の結合板部の厚み方向に貫通する第１の貫通孔とを有している。第２の環状部材の結合板部は、径方向に直交する第２の環状部材の結合板部の厚み方向に突出しかつ凹部に嵌合する凸部と、第２の環状部材の結合板部の厚み方向に貫通しかつ凹部に凸部が嵌合した状態で第１の貫通孔に連通する第２の貫通孔とを有している。第１の環状部材のポケット面と第２の環状部材のポケット面との間に転動体を保持するように凹部に凸部が嵌合した状態で第１および第２の貫通孔に挿入されたリベットにより第１の環状部材の結合板部と第２の環状部材の結合板部とが連結されている。
【０００８】
本発明の転がり軸受によれば、凹部に凸部が嵌合した状態で第１および第２の貫通孔に挿入されたリベットにより第１の環状部材の結合板部と第２の環状部材の結合板部とが連結されている。このため、凹部に凸部が嵌合することにより第１の環状部材および第２の環状部材が互いに位置決めされる。この位置決めされた状態で、第１および第２の貫通孔に挿入されたリベットにより第１の環状部材の結合板部と第２の環状部材の結合板部とが連結されている。これにより、第１の環状部材および第２の環状部材の互いの位置がずれることを抑制することができる。したがって、転動体とポケット面との接触を均一化することができる。これにより、音響や振動、温度の増加を抑制することができる。よって、音響や振動、温度の増加を抑制できるため、転がり軸受の機能としての寿命の低下を抑制することができる。
【０００９】
上記の転がり軸受において好ましくは、凹部は、第１の環状部材の結合板部の厚み方向において第２の環状部材側に凹部の開口面積が大きくなるように傾斜する第１の傾斜面を有している。凸部は、第２の環状部材の結合板部の厚み方向において第１の環状部材側に凸部の断面積が小さくなるように傾斜し、かつ第１の傾斜面に沿う第２の傾斜面を有している。したがって、第１の傾斜面に第２の傾斜面が沿うことにより、凹部および凸部の互いの位置決めを正確に行うことができる。このため、第１の環状部材および第２の環状部材の互いの位置がずれることを抑制することができる。
【００１０】
上記の転がり軸受において好ましくは、凸部は、円錐形状を有している。凹部は、円錐形状に嵌合する円錐状の凹みを有している。したがって、凸部の円錐形状と凹部の円錐状の凹みとが嵌合することにより、凹部および凸部の互いの位置決めを正確に行うことができる。このため、第１の環状部材および第２の環状部材の互いの位置がずれることを抑制することができる。
【００１１】
上記の転がり軸受において好ましくは、凹部は、周方向に直交する方向から見て、第１の短手部と、第１の短手部よりも長い寸法を有する第１の長手部とを含んでいる。凸部は、周方向に直交する方向から見て、第２の短手部と、第２の短手部よりも長い寸法を有する第２の長手部とを含んでいる。したがって、第１の長手部と第２の長手部とが嵌合することにより、凹部と凸部とが嵌合する部分の長さ寸法を大きくすることができる。これにより、凹部および凸部の互いの位置決めを正確に行うことができる。
【００１２】
上記の転がり軸受において好ましくは、第１および第２の長手部は、周方向に延在している。このため、凹部および凸部の互いの径方向の位置のずれを抑制することができる。これにより、第１の環状部材および第２の環状部材の互いの径方向の位置がずれることを抑制することができる。
【００１３】
上記の転がり軸受において好ましくは、第１および第２の長手部は、径方向に延在している。このため、凹部および凸部の互いの周方向の位置のずれを抑制することができる。これにより、第１の環状部材および第２の環状部材の互いの周方向の位置がずれることを抑制することができる。
【００１４】
上記の転がり軸受において好ましくは、凹部は、第１および第２の凹部分を含んでいる。凸部は、第１および第２の凹部分にそれぞれ嵌合する第１および第２の凸部分を含んでいる。このため、第１の凹部分に第１の凸部分が嵌合し、第２の凹部分に第２の凸部分が嵌合することにより、複数箇所において凹部に凸部が嵌合することができる。これにより、凹部および凸部の互いの位置決めを正確に行うことができる。
【００１５】
上記の転がり軸受において好ましくは、第１の凹部分および第１の凸部分と、第２の凹部分および第２の凸部分とは、径方向に第１および第２の貫通孔を挟むように配置されている。このため、第１および第２の貫通孔の互いの径方向の位置がずれることを抑制できる。
【００１６】
上記の転がり軸受において好ましくは、第１の凹部分および第１の凸部分と、第２の凹部分および第２の凸部分とは、周方向に第１および第２の貫通孔を挟むように配置されている。このため、第１および第２の貫通孔の互いの周方向の位置がずれることを抑制できる。
【００１７】
上記の転がり軸受において好ましくは、結合板部は、周方向に配置された複数の結合板部分を含んでいる。凹部および凸部は、複数の結合板部分の少なくともいずれかに設けられている。このため、凹部および凸部が設けられた少なくともいずれかの結合板部分において、凹部および凸部の互いの位置がずれることを抑制できる。
【００１８】
上記の転がり軸受において好ましくは、凹部および凸部は、複数の結合板部分の２つ以上に設けられている。このため、凹部および凸部が設けられた複数の結合板部分において、凹部および凸部の互いの位置がずれることを抑制できる。
【００１９】
上記の転がり軸受において好ましくは、凹部および凸部は、複数の結合板部分の全てに設けられている。複数の結合板部分の全てにおいて、凹部および凸部の互いの位置がずれることを抑制できる。
【００２０】
上記の転がり軸受において好ましくは、第１の貫通孔は、第２の環状部材側に第１の貫通孔の直径が小さくなる第１の面取り部を有している。したがって、第１の面取り部によりリベットが案内されるため、リベットが加締められるときに、リベットを第１の貫通孔の中心の位置に組み付けることができる。これにより、第１の貫通孔とリベットとの間の隙間から生じる第１の環状部材および第２の環状部材の互いの位置ずれを抑制することができる。
【００２１】
上記の転がり軸受において好ましくは、第１の貫通孔は、複数の第１の貫通孔部を含んでいる。複数の第１の貫通孔部の少なくとも２つは、第１の面取り部を有している。このため、リベットを複数の第１の貫通孔部において各々の中心の位置に組み付けることができる。
【００２２】
上記の転がり軸受において好ましくは、複数の第１の貫通孔部の全ては、第１の面取り部を有している。このため、リベットを複数の第１の貫通孔部の全てにおいて各々の中心の位置に組み付けることができる。
【００２３】
上記の転がり軸受において好ましくは、第２の貫通孔は、第１の環状部材側に第２の貫通孔の直径が小さくなる第２の面取り部を有している。したがって、第２の面取り部によりリベットが案内されるため、リベットが加締められるときに、リベットを第２の貫通孔の中心の位置に組み付けることができる。これにより、第２の貫通孔とリベットとの間の隙間から生じる第１の環状部材および第２の環状部材の互いの位置ずれを抑制することができる。
【００２４】
上記の転がり軸受において好ましくは、第２の貫通孔は、複数の第２の貫通孔部を含んでいる。複数の第２の貫通孔部の少なくとも２つは、第２の面取り部を有している。このため、リベットを複数の第２の貫通孔部において各々の中心の位置に組み付けることができる。
【００２５】
上記の転がり軸受において好ましくは、複数の第２の貫通孔部の全ては、第２の面取り部を有している。このため、リベットを複数の第２の貫通孔部の全てにおいて各々の中心の位置に組み付けることができる。
【００２６】
上記の転がり軸受において好ましくは、リベットは、第２の面取り部に沿うテーパ部を有している。したがって、テーパ部ＴＰが第２の面取り部に沿うことにより、リベットを第２の貫通孔の中心の位置に組み付けることができる。これにより、第２の貫通孔とリベットとの間の隙間から生じる第１の環状部材および第２の環状部材の互いの位置ずれを抑制することができる。
【発明の効果】
【００２７】
以上説明したように、本発明の転がり軸受によれば、第１および第２の環状部材の互いの位置がずれることを抑制することにより、音響や振動、温度の増加を抑制することができる転がり軸受を提供することができる。
【図面の簡単な説明】
【００２８】
【図１】本発明の実施の形態１における深溝玉軸受の構成を示す概略部分断面図である。
【図２】図１の深溝玉軸受の転動体および保持器の構成を示す概略正面図である。
【図３】図１の深溝玉軸受の保持器の構成を示す概略斜視図である。
【図４】図２のＰ１部を示す拡大図である。
【図５】図４のＶ−Ｖ線に沿う断面図である。
【図６】図５のＰ２部を示す分解斜視図である。
【図７】本発明の実施の形態１の変形例１の構成を示す分解斜視図である。
【図８】本発明の実施の形態１の変形例２の構成を示す概略正面図である。
【図９】図８のＩＸ−ＩＸ線に沿う断面図である。
【図１０】本発明の実施の形態１の変形例３の構成を示す概略正面図である。
【図１１】図１０のＸＩ−ＸＩ線に沿う断面図である。
【図１２】本発明の実施の形態１の変形例４の構成を示す概略正面図である。
【図１３】本発明の実施の形態１の変形例５の構成を示す概略正面図である。
【図１４】本発明の実施の形態１の変形例６の構成を示す概略正面図である。
【図１５】本発明の実施の形態２における保持器およびリベットの構成を示す概略断面図である。
【図１６】図１５のリベットが加締められる様子を説明するための概略断面図である。
【図１７】本発明の実施の形態２の変形例１の構成を示す概略正面図である。
【図１８】本発明の実施の形態２の変形例２の構成を示す概略正面図である。
【図１９】図１８のリベットが加締められる様子を説明するための概略断面図である。
【図２０】本発明の実施の形態２の変形例３の構成を示す概略正面図である。
【発明を実施するための形態】
【００２９】
以下、本発明の実施の形態について図に基づいて説明する。
（実施の形態１）
最初に、本発明の実施の形態１における転がり軸受の一例として深溝玉軸受の構成について説明する。
【００３０】
図１および図２を参照して、深溝玉軸受は、内輪１と、外輪２と、複数の転動体としての玉３と、保持器４と、密封板５と、リベット６とを有している。内輪１の外周面には円環状の内輪軌道面が形成されている。内輪１は、たとえばモータのロータとともに回転するように構成されており、ロータに接続された軸１０に嵌められている。外輪２は、内輪１の外周側に配置されている。外輪２の内周面には円環状の外輪軌道面が形成されている。内輪軌道面および外輪軌道面はそれぞれ深溝型に形成されている。
【００３１】
外輪２と内輪１との間には複数の転動体としての玉３が配置されている。複数の玉３の各々には転動体接触面としての玉転動面（玉３の表面）が形成されている。複数の玉３のそれぞれは外輪軌道面および内輪軌道面の各々に玉転動面で接触している。複数の玉３は円環状の軌道上に転動自在に保持されている。これにより、内輪１と外輪２とは互いに相対的に回転可能となっている。
【００３２】
保持器４は、複数の玉３のそれぞれを保持している。保持器４は、複数の玉３のそれぞれを保持器４の周方向に所定の間隔で保持している。保持器４は、第１の環状部材４ａおよび第２の環状部材４ｂを有している。外輪２の内周と内輪１の外周との間に形成された環状空間の軸方向両端の開口は、外輪２の内周両端部に取付けられたシールド板などの密封板５により閉鎖される場合と閉鎖されない場合があり、その環状空間に潤滑用グリースが封入されている。リベット６は、第１の環状部材４ａおよび第２の環状部材４ｂを互いに連結している。
【００３３】
図２および図３を参照して、第１の環状部材４ａおよび第２の環状部材４ｂの各々は、ポケット壁部ＰＷと、結合板部ＰＣとを有している。ポケット壁部ＰＷは半球状のポケット面ＰＳを有している。ポケット面ＰＳはポケット壁部ＰＷの内周面に形成されている。ポケット面ＰＳは玉３の表面に沿うように形成されている。ポケット壁部ＰＷは弧状に形成されている。結合板部ＰＣはポケット壁部ＰＷの端部から第１の環状部材４ａおよび第２の環状部材４ｂの各々の周方向ＣＤに延びている。第１の環状部材４ａおよび第２の環状部材４ｂの各々は、ポケット壁部ＰＷと結合板部ＰＣとが周方向ＣＤに交互に設けられた形状を有している。第１の環状部材４ａおよび第２の環状部材４ｂの各々は、たとえば合成樹脂の成形品からなっていてもよく、また銅合金などの金属の成形品からなっていてもよい。
【００３４】
第１の環状部材４ａおよび第２の環状部材４ｂは、互いのポケット面ＰＳが対向するように組み合わされ、かつ互いの結合板部ＰＣが連結することによって、一体化されている。第１の環状部材４ａおよび第２の環状部材４ｂの対向するポケット面ＰＳ間にポケットＰＫが形成されている。
【００３５】
また、第１の環状部材４ａの結合板部ＰＣは、凹部ＣＰを有している。結合板部ＰＣは、周方向ＣＤに配置された複数の結合板部分ＰＣＰを含んでいる。結合板部分ＰＣＰは、第１の環状部材４ａの径方向ＲＤの中心Ｏに対して均等の間隔に配置されている。
【００３６】
図３〜図５を参照して、凹部ＣＰは、第１の環状部材４ａおよび第２の環状部材４ｂの各々の径方向ＲＤに直交する第１の環状部材４ａの結合板部ＰＣの厚み方向ＴＤに凹んでいる。凹部ＣＰは凸部ＰＰを受け入れ可能に構成されている。凹部ＣＰは、第１の環状部材４ａの第２の環状部材４ｂに対向する面に形成されている。本実施の形態では、凹部ＣＰは、断面視においてＶ字形状に形成されている。
【００３７】
第１の環状部材４ａの結合板部ＰＣは、第１の貫通孔Ｈ１を有している。第１の貫通孔Ｈ１は第１の環状部材４ａの結合板部ＰＣの厚み方向ＴＤに貫通している。つまり、第１の貫通孔Ｈ１は、第１の環状部材４ａの結合板部ＰＣと第２の環状部材４ｂの結合板部ＰＣとが重なる方向に貫通している。本実施の形態では、第１の貫通孔Ｈ１は第１の環状部材４ａの結合板部ＰＣの厚み方向に同じ径を有するように形成されている。
【００３８】
第２の環状部材４ｂの結合板部ＰＣは、凸部ＰＰと、第２の貫通孔Ｈ２とを有している。凸部ＰＰは、径方向ＲＤに直交する第２の環状部材４ｂの結合板部ＰＣの厚み方向ＴＤに突出している。凸部ＰＰは凹部ＣＰに挿入可能に構成されている。凸部ＰＰは凹部ＣＰに嵌合している。凸部ＰＰは、第２の環状部材４ｂの第１の環状部材４ａに対向する面に形成されている。本実施の形態では、凸部ＰＰは、断面視において三角形状に形成されている。
【００３９】
第２の貫通孔Ｈ２は第２の環状部材４ｂの結合板部ＰＣの厚み方向ＴＤに貫通している。つまり、第２の貫通孔Ｈ２は、第１の環状部材４ａの結合板部ＰＣと第２の環状部材４ｂの結合板部ＰＣとが重なる方向に貫通している。第２の貫通孔Ｈ２は、凹部ＣＰに凸部ＰＰが嵌合した状態で第１の貫通孔Ｈ１に連通している。本実施の形態では、第２の貫通孔Ｈ２は第２の環状部材４ｂの結合板部ＰＣの厚み方向ＴＤに同じ径を有するように形成されている。また、第２の貫通孔Ｈ２の径は、第１の貫通孔Ｈ１の径と同じ寸法に形成されている。
【００４０】
第１の環状部材４ａのポケット面ＰＳと第２の環状部材４ｂのポケット面ＰＳとの間に玉３を保持するように凹部ＣＰに凸部ＰＰが嵌合している。この状態で第１の貫通孔Ｈ１および第２の貫通孔Ｈ２にリベット６が挿入されている。このリベット６により第１の環状部材４ａの結合板部ＰＣと第２の環状部材４ｂの結合板部ＰＣとが連結されている。第１の貫通孔Ｈ１および第２の貫通孔Ｈ２に挿入されたリベット６の先端は加締められている。
【００４１】
凹部ＣＰおよび凸部ＰＰは、複数の結合板部分ＰＣＰの少なくともいずれかに設けられていればよい。本実施の形態では、凹部ＣＰおよび凸部ＰＰは、１つの結合板部分ＰＣＰに設けられている。
【００４２】
図４〜図６を参照して、凹部ＣＰは、周方向ＣＤに直交する方向から見て、第１の短手部Ｓ１と、第１の長手部Ｌ１とを含んでいる。ここで、周方向ＣＤに直交する方向とは平面視方向との意味である。第１の長手部Ｌ１は第１の短手部Ｓ１よりも長い寸法を有している。凸部ＰＰは、周方向ＣＤに直交する方向から見て、第２の短手部Ｓ２と、第２の長手部Ｌ２とを含んでいる。第２の長手部Ｌ２は第２の短手部Ｓ２よりも長い寸法を有している。本実施の形態では、凹部ＣＰは、径方向ＲＤの断面視においてＶ字形状に形成されている。また、凹部ＣＰは、周方向ＣＤの断面視において側壁が第２の環状部材４ｂ側に拡がるように形成されている。凸部ＰＰは、径方向ＲＤの断面視において三角形状に形成されている。また、凸部ＰＰは、周方向ＣＤの断面視において台形形状に形成されている。本実施の形態では、第１の長手部Ｌ１および第２の長手部Ｌ２は、周方向ＣＤに延在している。
【００４３】
図５および図６を参照して、凹部ＣＰは、第１の傾斜面ＳＬ１を有している。第１の傾斜面ＳＬ１は、第１の環状部材４ａの結合板部ＰＣの厚み方向ＴＤにおいて第２の環状部材４ｂ側に凹部ＣＰの開口面積が大きくなるように傾斜している。凹部ＣＰの開口面積は、厚み方向ＴＤに直交する断面における凹部ＣＰの開口の面積である。
【００４４】
凸部ＰＰは、第２の傾斜面ＳＬ２を有している。第２の傾斜面ＳＬ２は、第２の環状部材４ｂの結合板部ＰＣの厚み方向ＴＤにおいて第１の環状部材４ａ側に凸部ＰＰの断面積が小さくなるように傾斜している。凸部ＰＰの断面積は、厚み方向ＴＤに直交する断面における凸部ＰＰの断面積である。
【００４５】
凹部ＣＰおよび凸部ＰＰの構成は、上記の構成に限定されず、種々の構成を適用することができる。以下、本実施の形態の変形例について説明する。
【００４６】
まず、図７を参照して、本実施の形態の変形例１の構成について説明する。本実施の形態の変形例１では、第２の環状部材４ｂの凸部は、円錐形状を有している。第１の環状部材４ａの凹部は、円錐形状に嵌合する円錐状の凹みを有している。このため、第２の環状部材４ｂの凸部の円錐形状と第１の環状部材４ａの凹部の円錐状の凹みとが嵌合することにより、第１の環状部材４ａの結合板部ＰＣと第２の環状部材４ｂの結合板部ＰＣとが位置決めされる。
【００４７】
続いて、図８および図９を参照して、本実施の形態における保持器４の変形例２の構成について説明する。本実施の形態の変形例２では、凹部ＣＰは、第１の凹部分ＣＰ１および第２の凹部分ＣＰ２を含んでいる。凸部ＰＰは、第１および第２の凹部分ＣＰ１，ＣＰ２にそれぞれ嵌合する第１の凸部分ＰＰ１および第２の凸部分ＰＰ２を含んでいる。このため、第１の凹部分ＣＰ１に第１の凸部分ＰＰ１が嵌合し、第２の凹部分ＣＰ２に第２の凸部分ＰＰ２が嵌合することにより、複数箇所において凹部ＣＰに凸部ＰＰが嵌合することができる。
【００４８】
また、本実施の形態の変形例２では、第１の凹部分ＣＰ１および第１の凸部分ＰＰ１と、第２の凹部分ＣＰ２および第２の凸部分ＰＰ２とは、径方向ＲＤに第１のＨ１および第２の貫通孔Ｈ２を挟むように配置されている。このため、第１の貫通孔Ｈ１および第２の貫通孔Ｈ２の互いの径方向ＲＤの位置がずれることを抑制できる。
【００４９】
続いて、図１０および図１１を参照して、本実施の形態における保持器４の変形例３の構成について説明する。本実施の形態の変形例３では、凹部ＣＰおよび凸部ＰＰは径方向ＲＤに延在している。つまり、第１の長手部Ｌ１および第２の長手部Ｌ２は、径方向ＲＤに延在している。なお、図１０および図１１には図示されていないが、本実施の形態の変形例３では、図６に示す第２の長手部Ｌ２が径方向ＲＤに延在している。また、第１の凹部分ＣＰ１および第１の凸部分ＰＰ１と、第２の凹部分ＣＰ２および第２の凸部分ＰＰ２とは、周方向ＣＤに第１の貫通孔Ｈ１および第２の貫通孔Ｈ２を挟むように配置されている。このため、第１の貫通孔Ｈ１および第２の貫通孔Ｈ２の互いの周方向ＣＤの位置がずれることを抑制できる。
【００５０】
続いて、図１２を参照して、本実施の形態における保持器４の変形例４の構成について説明する。本実施の形態の変形例４は、図８および図９に示す変形例２の凹部ＣＰおよび凸部ＰＰに加えて図１０および図１１に示す変形例３の凹部ＣＰおよび凸部ＰＰを有している。本実施の形態の変形例４では、凹部ＣＰおよび凸部ＰＰは、２組の第１の凹部分ＣＰ１および第１の凸部分ＰＰ１ならびに第２の凹部分ＣＰ２および第２の凸部分ＰＰ２を有している。つまり、凹部ＣＰは４つの凹部分を有し、凸部ＰＰは４つの凸部分を有している。
【００５１】
２組の凹部ＣＰおよび凸部ＰＰはそれぞれ径方向ＲＤおよび周方向ＣＤに第１の貫通孔Ｈ１および第２の貫通孔Ｈ２を挟むように配置されている。
【００５２】
続いて、図１３を参照して、本実施の形態における保持器４の変形例５の構成について説明する。本実施の形態の変形例５では、凹部ＣＰおよび凸部ＰＰは、複数の結合板部分ＰＣＰの２つ以上に設けられている。具体的には、凹部ＣＰおよび凸部ＰＰは、４つの結合板部分ＰＣＰに設けられている。４つの凹部ＣＰおよび凸部ＰＰ（図示せず）は、第１の環状部材４ａの径方向ＲＤの中心Ｏに対して９０度の角度で均等の間隔に配置されている。
【００５３】
続いて、図１４を参照して、本実施の形態における保持器の変形例６の構成について説明する。本実施の形態の変形例６では、凹部ＣＰおよび凸部ＰＰは、複数の結合板部分の全てに設けられている。具体的には、凹部ＣＰおよび凸部ＰＰは、８つの結合板部分の全てに設けられている。８つの凹部ＣＰおよび凸部ＰＰ（図示せず）は、第１の環状部材４ａの径方向ＲＤの中心Ｏに対して４５度の角度で均等の間隔に配置されている。
【００５４】
次に、本実施の形態の作用効果について説明する。
図２〜図４に示すように、本実施の形態の転がり軸受によれば、凹部ＣＰに凸部ＰＰが嵌合した状態で第１の貫通孔Ｈ１および第２の貫通孔Ｈ２に挿入されたリベット６により第１の環状部材４ａの結合板部ＰＣと第２の環状部材４ｂの結合板部ＰＣとが連結されている。このため、凹部ＣＰに凸部ＰＰが嵌合することにより第１の環状部材４ａおよび第２の環状部材４ｂが互いに位置決めされる。この位置決めされた状態で、第１の貫通孔Ｈ１および第２の貫通孔Ｈ２に挿入されたリベット６により第１の環状部材４ａの結合板部ＰＣと第２の環状部材４ｂの結合板部ＰＣとが連結されている。このため、第１の環状部材４ａおよび第２の環状部材４ｂの互いの位置がずれることを抑制することができる。したがって、玉３とポケット面ＰＳとの接触を均一化することができる。これにより、転がり軸受運転中の音響や振動、温度の増加を抑制することができる。よって、音響や振動、温度の増加を抑制できるため、転がり軸受の機能としての寿命の低下を抑制することができる。
【００５５】
また、図５および図６に示すように、本実施の形態の転がり軸受によれば、第１の傾斜面ＳＬ１に第２の傾斜面ＳＬ２が沿うことにより、凹部ＣＰおよび凸部ＰＰの互いの位置決めを正確に行うことができる。このため、第１の環状部材４ａおよび第２の環状部材４ｂの互いの位置がずれることを抑制することができる。
【００５６】
また、図７に示すように、本実施の形態の変形例１の転がり軸受によれば、第２の環状部材４ｂの凸部の円錐形状と第１の環状部材４ａの凹部の円錐状の凹みとが嵌合することにより、凹部および凸部の互いの位置決めを正確に行うことができる。このため、第１の環状部材４ａおよび第２の環状部材４ｂの互いの位置がずれることを抑制することができる。
【００５７】
また、図４および図６に示すように、本実施の形態の転がり軸受によれば、第１の長手部Ｌ１と第２の長手部Ｌ２とが嵌合することにより、凹部ＣＰと凸部ＰＰとが嵌合する部分の長さ寸法を大きくすることができる。これにより、凹部ＣＰおよび凸部ＰＰの互いの位置決めを正確に行うことができる。
【００５８】
また、図４および図６に示すように、本実施の形態の転がり軸受によれば、第１の長手部Ｌ１および第２の長手部Ｌ２は、周方向ＣＤに延在している。このため、凹部ＣＰおよび凸部ＰＰの互いの径方向ＲＤの位置のずれを抑制することができる。これにより、第１の環状部材４ａおよび第２の環状部材４ｂの互いの径方向ＲＤの位置がずれることを抑制することができる。
【００５９】
また、図６および図１０に示すように、本実施の形態の変形例３の転がり軸受によれば、第１の長手部Ｌ１および第２の長手部Ｌ２は、径方向ＲＤに延在している。このため、凹部ＣＰおよび凸部ＰＰの互いの周方向ＣＤの位置のずれを抑制することができる。これにより、第１の環状部材４ａおよび第２の環状部材４ｂの互いの周方向ＣＤの位置がずれることを抑制することができる。
【００６０】
また、図８および図９に示すように、本実施の形態の変形例２の転がり軸受によれば、第１の凹部分ＣＰ１に第１の凸部分ＰＰ１が嵌合し、第２の凹部分ＣＰ２に第２の凸部分ＰＰ２が嵌合することにより、複数箇所において凹部ＣＰに凸部ＰＰが嵌合することができる。これにより、凹部ＣＰおよび凸部ＰＰの互いの位置決めを正確に行うことができる。
【００６１】
また、図８および図９に示すように、本実施の形態の変形例２の転がり軸受によれば、第１の凹部分ＣＰ１および第１の凸部分ＰＰ１と、第２の凹部分ＣＰ２および第２の凸部分ＰＰ２とは、径方向ＲＤに第１の貫通孔Ｈ１および第２の貫通孔Ｈ２を挟むように配置されている。このため、第１の貫通孔Ｈ１および第２の貫通孔Ｈ２の互いの径方向ＲＤの位置がずれることを抑制できる。
【００６２】
また、図１０および図１１に示すように、本実施の形態の変形例３の転がり軸受によれば、第１の凹部分ＣＰ１および第１の凸部分ＰＰ１と、第２の凹部分ＣＰ２および第２の凸部分ＰＰ２とは、周方向ＣＤに第１の貫通孔Ｈ１および第２の貫通孔Ｈ２を挟むように配置されている。このため、第１の貫通孔Ｈ１および第２の貫通孔Ｈ２の互いの周方向ＣＤの位置がずれることを抑制できる。
【００６３】
また、図２に示すように、本実施の形態の転がり軸受によれば、凹部ＣＰおよび凸部ＰＰは、複数の結合板部分ＰＣＰの少なくともいずれかに設けられている。このため、凹部ＣＰおよび凸部ＰＰが設けられた少なくともいずれかの結合板部分ＰＣＰにおいて、凹部ＣＰおよび凸部ＰＰの互いの位置がずれることを抑制できる。
【００６４】
また、図１３に示すように、本実施の形態の変形例５の転がり軸受によれば、凹部ＣＰおよび凸部ＰＰは、複数の結合板部分ＰＣＰの２つ以上に設けられている。このため、凹部ＣＰおよび凸部ＰＰが設けられた複数の結合板部分ＰＣＰにおいて、凹部ＣＰおよび凸部ＰＰの互いの位置がずれることを抑制できる。
【００６５】
また、図１４に示すように、本実施の形態の変形例６の転がり軸受によれば、凹部ＣＰおよび凸部ＰＰは、複数の結合板部分ＰＣＰの全てに設けられている。複数の結合板部分ＰＣＰの全てにおいて、凹部ＣＰおよび凸部ＰＰの互いの位置がずれることを抑制できる。
【００６６】
（実施の形態２）
本発明の実施の形態２の転がり軸受は、上記の実施の形態１の転がり軸受に比べて、第１の貫通孔の構成が主に異なっている。本発明の実施の形態２の転がり軸受は、特に言及しない限り、上記の実施の形態１の転がり軸受と同様の構成を備えており、同一の部分または相当する部分には同一の符号を付し、その説明を繰り返さない。
【００６７】
図１５を参照して、本実施の形態では、保持器４の第１の環状部材４ａの第１の貫通孔Ｈ１は、第２の環状部材４ｂ側に第１の貫通孔Ｈ１の直径が小さくなる第１の面取り部Ｔ１を有している。第１の面取り部Ｔ１は、第１の貫通孔Ｈ１の周方向の全周に渡って第１の貫通孔Ｈ１の中心線方向に対して同じ角度で形成されている。
【００６８】
図１６を参照して、第１の面取り部Ｔ１はリベット６の造り頭側に設けられている。第２の貫通孔Ｈ２側から第１の貫通孔Ｈ１にリベット６が挿入され、リベット６が加締められる。これにより、第１の面取り部Ｔ１に沿ってリベット６が変形する。よって、第１の面取り部Ｔ１にリベット６が係合する。
【００６９】
第１の貫通孔Ｈ１の構成は、上記の構成に限定されず、種々の構成を適用することができる。以下、本実施の形態の変形例について説明する。
【００７０】
まず、図１７を参照して、本実施の形態の変形例１の構成について説明する。本実施の形態の変形例１では、第１の貫通孔Ｈ１は、複数の第１の貫通孔部Ｈ１Ｐを含んでいる。複数の第１の貫通孔部Ｈ１Ｐの少なくとも２つは、第１の面取り部Ｔ１を有していればよい。本実施の形態の変形例１では、複数の第１の貫通孔部Ｈ１Ｐの全ては、第１の面取り部Ｔ１を有している。８つの第１の貫通孔部Ｈ１Ｐは、第１の環状部材４ａの径方向ＲＤの中心Ｏに対して４５度の角度で均等の間隔に配置されている。
【００７１】
続いて、図１８を参照して、本実施の形態の変形例２の構成について説明する。本実施の形態の変形例２では、保持器４の第２の環状部材４ｂの第２の貫通孔Ｈ２は、第１の環状部材４ａ側に第２の貫通孔Ｈ２の直径が小さくなる第２の面取り部Ｔ２を有している。第２の面取り部Ｔ２は、第２の貫通孔Ｈ２の周方向の全周に渡って第２の貫通孔Ｈ２の中心線方向に対して同じ角度で形成されている。
【００７２】
また、本実施の形態の変形例２では、リベット６は、第２の面取り部Ｔ２に沿うテーパ部ＴＰを有している。テーパ部ＴＰは、リベット６の周方向の全周に渡ってリベット６の軸方向に対して同じ角度で形成されている。第２の貫通孔Ｈ２にリベット６が挿入されることにより、第２の面取り部Ｔ２にテーパ部ＴＰが係合する。テーパ部ＴＰが第２の面取り部Ｔ２に沿うことにより、リベット６を第２の貫通孔Ｈ２の中心の位置に組み付けることができる。
【００７３】
図１９を参照して、第２の貫通孔Ｈ２側から第１の貫通孔Ｈ１にリベット６が挿入される。テーパ部ＴＰが第２の面取り部Ｔ２に沿う状態でリベット６が加締められる。これにより、第１の面取り部Ｔ１に沿ってリベット６が変形する。したがって、第１の面取り部Ｔ１および第２の面取り部Ｔ２の両方にリベット６が係合する。
【００７４】
続いて、図２０を参照して、本実施の形態における保持器の変形例３の構成について説明する。本実施の形態の変形例３では、第２の貫通孔Ｈ２は、複数の第２の貫通孔部Ｈ２Ｐを含んでいる。複数の第２の貫通孔部Ｈ２Ｐの少なくとも２つは、第２の面取り部Ｔ２を有していればよい。
【００７５】
本実施の形態の変形例３では、複数の第２の貫通孔部Ｈ２Ｐの全ては、第２の面取り部Ｔ２を有している。８つの第２の貫通孔部Ｈ２Ｐは、第２の環状部材４ｂの径方向ＲＤの中心Ｏに対して４５度の角度で均等の間隔に配置されている。
【００７６】
次に、本実施の形態の作用効果について説明する。
図１５および図１６に示すように、本実施の形態の転がり軸受によれば、第１の貫通孔Ｈ１は、第２の環状部材４ｂ側に第１の貫通孔Ｈ１の直径が小さくなる第１の面取り部Ｔ１を有している。したがって、第１の面取り部Ｔ１によりリベット６が案内されるため、リベット６が加締められるときに、リベット６を第１の貫通孔Ｈ１の中心の位置に組み付けることができる。これにより、第１の貫通孔Ｈ１とリベット６との間の隙間から生じる第１の環状部材４ａおよび第２の環状部材４ｂの互いの位置ずれを抑制することができる。
【００７７】
また、図１７に示すように、本実施の形態の変形例１の転がり軸受によれば、複数の第１の貫通孔部Ｈ１Ｐの少なくとも２つは、第１の面取り部Ｔ１を有している。このため、リベット６を複数の第１の貫通孔部Ｈ１Ｐにおいて各々の中心の位置に組み付けることができる。
【００７８】
また、図１７に示すように、本実施の形態の変形例１の転がり軸受によれば、複数の第１の貫通孔部Ｈ１Ｐの全ては、第１の面取り部Ｔ１を有している。このため、リベット６を複数の第１の貫通孔部Ｈ１Ｐの全てにおいて各々の中心の位置に組み付けることができる。
【００７９】
また、図１８および図１９に示すように、本実施の形態の変形例２の転がり軸受によれば、第２の貫通孔Ｈ２は、第１の環状部材４ａ側に第２の貫通孔Ｈ２の直径が小さくなる第２の面取り部Ｔ２を有している。したがって、第２の面取り部Ｔ２によりリベット６が案内されるため、リベット６が加締められるときに、リベット６を第２の貫通孔Ｈ２の中心の位置に組み付けることができる。これにより、第２の貫通孔Ｈ２とリベット６との間の隙間から生じる第１の環状部材４ａおよび第２の環状部材４ｂの互いの位置ずれを抑制することができる。
【００８０】
また、図２０に示すように、本実施の形態の変形例３の転がり軸受によれば、複数の第２の貫通孔部Ｈ２Ｐの少なくとも２つは、第２の面取り部Ｔ２を有している。このため、リベット６を複数の第２の貫通孔部Ｈ２Ｐにおいて各々の中心の位置に組み付けることができる。
【００８１】
また、図２０に示すように、本実施の形態の変形例３の転がり軸受によれば、複数の第２の貫通孔部Ｈ２Ｐの全ては、第２の面取り部Ｔ２を有している。このため、リベット６を複数の第２の貫通孔部Ｈ２Ｐの全てにおいて各々の中心の位置に組み付けることができる。
【００８２】
また、図１８および図１９に示すように、本実施の形態の変形例２の転がり軸受によれば、リベット６は、第２の面取り部Ｔ２に沿うテーパ部ＴＰを有している。したがって、テーパ部ＴＰが第２の面取り部Ｔ２に沿うことにより、リベット６を第２の貫通孔Ｈ２の中心の位置に組み付けることができる。これにより、第２の貫通孔Ｈ２とリベット６との間の隙間から生じる第１の環状部材４ａおよび第２の環状部材４ｂの互いの位置ずれを抑制することができる。
【００８３】
なお、上記の各実施の形態および各変形例は適宜組み合わせることができる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００８４】
１  内輪、２  外輪、３  玉、４  保持器、４ａ  第１の環状部材、４ｂ  第２の環状部材、５  密封板、６  リベット、ＣＤ  周方向、ＣＰ  凹部、ＣＰ１  第１の凹部分、ＣＰ２  第２の凹部分、Ｈ１  第１の貫通孔、Ｈ１Ｐ  第１の貫通孔部、Ｈ２Ｐ  第２の貫通孔部、Ｈ２  第２の貫通孔、Ｌ１  第１の長手部、Ｌ２  第２の長手部、ＰＣ  結合板部、ＰＣＰ  結合板部分、ＰＫ  ポケット、ＰＰ  凸部、ＰＰ１  第１の凸部分、ＰＰ２  第２の凸部分、ＰＳ  ポケット面、ＰＷ  ポケット壁部、ＲＤ  径方向、Ｓ１  第１の短手部、Ｓ２  第２の短手部、ＳＬ１  第１の傾斜面、ＳＬ２  第２の傾斜面、Ｔ１  第１の面取り部、Ｔ２  第２の面取り部、ＴＤ  厚み方向、ＴＰ  テーパ部。
【図１】
2016180414.tif 000003
【図２】
2016180414.tif 000004
【図３】
2016180414.tif 000005
【図４】
2016180414.tif 000006
【図５】
2016180414.tif 000007
【図６】
2016180414.tif 000008
【図７】
2016180414.tif 000009
【図８】
2016180414.tif 000010
【図９】
2016180414.tif 000011
【図１０】
2016180414.tif 000012
【図１１】
2016180414.tif 000013
【図１２】
2016180414.tif 000014
【図１３】
2016180414.tif 000015
【図１４】
2016180414.tif 000016
【図１５】
2016180414.tif 000017
【図１６】
2016180414.tif 000018
【図１７】
2016180414.tif 000019
【図１８】
2016180414.tif 000020
【図１９】
2016180414.tif 000021
【図２０】
2016180414.tif 000022